(57)【特許請求の範囲】
【請求項１】
熱交換器および送風ファンが装着されたキャビネットに、熱交換器の熱交換によって生じたドレン水を受けるドレンパンユニットが着脱可能に設けられ、ドレンパンユニットに、キャビネット内に形成された空気通路に連通する吹出口が左右方向に形成され、ドレンパンユニットの吹出口を形成する下壁がキャビネットの空気通路を形成する通路壁の前端に密接して、下壁と通路壁とが連なり、キャビネットの通路壁の左右方向の少なくとも中央部分に、ドレンパンユニットがキャビネットから脱落することを阻止する係止部が設けられ、ドレンパンユニットの下壁の後端に、係止部に係止される被係止部が空気通路側とは反対側に突出するように設けられ、通路壁の前端に、ドレンパンユニットがキャビネットに取り付けられるときに被係止部が入り込む挿入口が形成され、キャビネットの通路壁の下方であって、挿入口の上部に係止部が形成され、ドレンパンユニットが取り外し方向以外の方向に動くとき、被係止部は、係止部に当接して係止され、ドレンパンユニットが取り外し方向に動くとき、被係止部は係止部に係止されず、被係止部は移動可能となることを特徴とする空気調和機。
【請求項２】
熱交換器および送風ファンが装着されたキャビネットに、熱交換器の熱交換によって生じたドレン水を受けるドレンパンユニットが着脱可能に設けられ、ドレンパンユニットに、キャビネット内に形成された空気通路に連通する吹出口が左右方向に形成され、キャビネットの空気通路を形成する通路壁の左右方向の少なくとも中央部分に、ドレンパンユニットがキャビネットから脱落することを阻止する係止部が設けられ、ドレンパンユニットに、係止部に係止される被係止部が設けられ、係止部は、キャビネットの通路壁の下方に位置し、通路壁に、ドレンパンユニットがキャビネットに取り付けられるときに被係止部が入り込む挿入口が形成され、
ドレンパンユニットは、上下左右の壁部材により枠状に形成され、下側の壁部材は、上下２段の下壁によって構成され、上段の下壁は吹出口の下壁となり、下段の下壁は、キャビネットの底壁の一部を構成し、上段の下壁の後端に、被係止部が形成され、キャビネットの底壁の前端に、下段の下壁の後端が当接する段差が形成され、ドレンパンユニットをキャビネットに取り付けるためにキャビネットに近付けたとき、ドレンパンユニットの下段の下壁がキャビネットの段差に当たると、被係止部が挿入口に入り、被係止部の後端が係止部の前面に当たり、
ドレンパンユニットが取り外し方向以外の方向に動くとき、被係止部は、係止部に当接して係止され、ドレンパンユニットが取り外し方向に動くとき、被係止部は係止部に係止されず、被係止部は移動可能となることを特徴とする空気調和機。
【請求項３】
ドレンパンユニットは、上下左右の壁部材により枠状に形成され、下側の壁部材は、上下２段の下壁によって構成され、上段の下壁は吹出口の下壁となり、下段の下壁は、キャビネットの底壁の一部を構成し、上段の下壁の後端に、被係止部が形成され、キャビネットの底壁の前端に、下段の下壁の後端が当接する段差が形成され、ドレンパンユニットをキャビネットに取り付けるためにキャビネットに近付けたとき、ドレンパンユニットの下段の下壁がキャビネットの段差に当たると、被係止部が挿入口に入り、被係止部の後端が係止部の前面に当たることを特徴とする請求項１記載の空気調和機。
【発明の詳細な説明】
【技術分野】
【０００１】
本発明は、吹出口を一体的に形成したドレンパンユニットを備えた空気調和機に関する。
【背景技術】
【０００２】
空気調和機の室内機は、熱交換器および送風ファンが装着されたキャビネットに複数のユニットが取り付けられて構成される。そして、キャビネットに、熱交換器の熱交換によって生じたドレン水を受けるドレンパンが設けられる。ドレンパンは着脱可能とされ、ドレンパンを取り外して洗浄できるようになっている。
【０００３】
例えば特許文献１に記載の空気調和機では、ドレンパンがベースに一体形成され、ベースに風向板が設けられてユニット化され、ベースユニット（ドレンパンユニット）が構成されている。ベースユニットに、左右方向に横長の吹出口が形成される。このベースユニットはキャビネットに着脱自在とされる。すなわち、ベースの後部に形成された爪がキャビネットの溝に係止され、ベースの前部がキャブネットにねじ止めされて、ベースユニットはキャビネットに固定される。そして、ねじを外し、爪を溝から外すことにより、ベースユニットはキャビネットから取り外される。ドレンパンの清掃を容易に行うことができる。
【先行技術文献】
【特許文献】
【０００４】
【特許文献１】特開２００４−２３２８８２号公報
【発明の概要】
【発明が解決しようとする課題】
【０００５】
上記のように、ドレンパンユニットを固定するための爪は、左右方向の両側に形成される。ねじ止めも左右方向の両側において行われる。左右方向の中間部分では、ドレンパンユニットはキャビネットに固定されていない。そのため、ドレンパンユニットの着脱の際にドレンパンユニットの中間部分に外力がかかった場合、ドレンパンユニットが変形して、中間部分がキャビネットから離れる。ドレンパンユニットの左右両側に過大な負荷がかかり、爪が損傷したり、ねじの周辺が損傷すると、ドレンパンユニットが脱落するおそれがある。
【０００６】
この対策として、ドレンパンユニットの中間部分をキャビネットにねじ止めする、あるいはドレンパンユニットの中間部分に爪を設けて、キャビネットに爪を引っ掛けるといったように、ドレンパンユニットの中間部分を固定することが考えられる。しかし、ドレンパンユニットを取り付けるとき、キャビネットに対するドレンパンユニットの位置合わせが必要となる。また、ねじや爪を着脱するための作業が増え、ドレンパンユニットの着脱作業が煩雑となる。
【０００７】
本発明は、上記に鑑み、ドレンパンユニットの左右方向の中間部分をキャビネットから外れないようにしながら、ドレンパンユニットを容易に着脱できる空気調和機の提供を目的とする。
【課題を解決するための手段】
【０００８】
本発明は、熱交換器および送風ファンが装着されたキャビネットに、熱交換器の熱交換によって生じたドレン水を受けるドレンパンユニットが着脱可能に設けられ、ドレンパンユニットに、左右方向に吹出口が形成され、キャビネットの左右方向の少なくとも中央部分に、ドレンパンユニットがキャビネットから脱落することを阻止する係止部が設けられ、ドレンパンユニットに、係止部に係止される被係止部が設けられたものである。
【０００９】
ドレンパンユニットに外力がかかって、ドレンパンユニットが取り外し方向以外の方向に動くとき、被係止部は、係止部に当接して係止される。ドレンパンユニットをキャビネットから取り外すとき、ドレンパンユニットを取り外し方向に動かすと、被係止部は係止部に係止されず、ドレンパンユニットを取り外すことができる。
【００１０】
ドレンパンユニットは、キャビネットの前側に配され、ドレンパンユニットの後側に、被係止部が形成されるようにしてもよい。そして、被係止部の下方に位置するドレンパンユニットの後端がキャビネットの前端に当接し、ドレンパンユニットの取り付け時に後端を支点としてドレンパンユニットを上方向に回動させることにより、被係止部が係止部に近接するようにすることが好ましい。なお、ここでの近接は、被係止部が係止部に接触した状態も含むものとする。このように、ドレンパンユニットを取り付けるとき、ドレンパンユニットを回動させることにより、係止部と被係止部との位置合わせが自動的に行われる。この位置合わせの手間を省くことができ、取付作業が容易となる。
【００１１】
係止部は、下向きに突出して形成され、被係止部は、凹状に形成されるようにしてもよい。すなわち、被係止部は、孔あるいは凹みを有する形状にするとよい。ドレンパンユニットがキャビネットに取り付けられるとき、被係止部が係止部に下側から近接し、係止部は被係止部に嵌まる。ドレンパンユニットが取り付けられた後、ドレンパンユニットの前側に外力がかかって、ドレンパンユニットの後側が下向き以外の上方向や前方向に動くとき、係止部が被係止部に嵌まったまま、被係止部が係止部に係止されるようにしてもよい。ドレンパンユニットを取り外すときは、ドレンパンユニットは下方向に動かされる。
【００１２】
係止部の前面および後面は傾斜し、前面の傾きが後面の傾きより緩やかにしてもよい。このようにすれば、外力がかかったときにドレンパンユニットの動く方向によって、被係止部は、係止部の前面あるいは後面に当接して、係止される。
【００１３】
被係止部は、ドレンパンユニットの後端から後側に向かって突出するようにしてもよい。このようにすれば、ドレンパンユニットがキャビネットに取り付けられるとき、ドレンパンユニットが後方向に移動するが、被係止部が係止部の前面に当接して撓み、被係止部が係止部の下方に位置して、係止部が被係止部に嵌まる。ドレンパンユニットが前方向に移動するとき、被係止部は係止部の後面に当接し、係止される。
【００１４】
ドレンパンユニットの左右方向の両側がキャビネットに固定され、吹出口の下壁となるドレンパンユニットの下部に被係止部が設けられるようにしてもよい。吹出口の下方において、ドレンパンユニットの中間部分を保持することができ、キャビネット内のスペースを有効に利用できる。
【００１５】
キャビネットにドレンパンユニット以外の別ユニットが着脱自在に設けられ、小型部品装着用の固定部材がドレンパンユニットの左右方向の中間部分に取り付けられ、別ユニットを保持するためのフックが固定部材に設けられる。これによれば、別ユニットに外力がかかっても、別ユニットの中間部分がフックにより保持されるので、別ユニットはキャビネットから外れることはない。また、固定部材にフックを一体的に形成できるので、ドレンパンユニットの形状に関係なく、別ユニットの形態に応じてフックの形態を任意に設計することができる。
【発明の効果】
【００１６】
本発明によると、ドレンパンユニットが取り外し方向以外の方向に動くときに、ドレンパンユニットを係止することにより、ドレンパンユニットを着脱するときには係止に影響を受けずに作業を行え、ドレンパンユニットに外力がかかった必要時にドレンパンユニットを係止することができ、ドレンパンユニットがキャビネットから外れることを防止できる。
【図面の簡単な説明】
【００１７】
【図１】本発明の空気調和機の室内機の斜視図
【図２】室内機の断面図
【図３】（ａ）ドレンパンユニットおよび清掃ユニットを取り付けたキャビネットの断面図、（ｂ）ドレンパンユニット１２および清掃ユニットを取り外した状態のキャビネットの断面図
【図４】（ａ）ドレンパンユニットを斜め下から見たときの斜視図、（ｂ）ドレンパンユニットを斜め上から見たときの斜視図
【図５】（ａ）清掃ユニットの斜視図、（ｂ）清掃ユニットの正面図、（ｃ）Ａ−Ａ断面図
【図６】係止部および被係止部を示したキャビネットの断面図および部分拡大図
【図７】ベース板の斜視図
【図８】（ａ）ドレンパンユニットを取り付けたベース板の斜視図、（ｂ）ドレンパンユニットが取り外されたベース板の斜視図
【図９】清掃ユニットの保持構造を示したキャビネットの断面図および部分拡大図
【発明を実施するための形態】
【００１８】
本実施形態の空気調和機の室内機を図１、２に示す。室内機は、熱交換器１および室内ファン２を備え、これらがキャビネット３に内装されている。キャビネット３の前面から底面にかけて湾曲面とされる。キャビネット３の上面に吸込口４が形成され、湾曲面に吹出口５が形成される。
【００１９】
キャビネット３の内部には、吸込口４から吹出口５に至る空気通路６が形成され、この空気通路６に熱交換器１と送風ファン２とが配設される。吸込口４と熱交換器１との間に、フィルタ７が配され、吸込口４から吸込んだ室内の空気から塵埃を除去する。フィルタ７は左右２枚とされる。
【００２０】
キャビネット３の湾曲面には、吹出口５を開閉するパネル８が設けられる。パネル８は、キャビネット３に開閉自在に支持され、パネル８を開閉するための開閉部が設けられる。
【００２１】
空気調和機の運転時に、パネル８が開く。冷房運転時には、パネル８は、冷風を斜め上方向に導き、冷風が天井に沿って吹き出す。暖房運転時には、パネル８は、前方に向かって吹き出される温風を押え込み、温風を床面方向に導く。なお、冷房運転の初期時にも、冷風が床面方向に吹き出され、急速冷房が行われる。パネル８は、運転停止時には閉姿勢となり、吹出口５を覆って、キャビネット３と一体化する。このように、パネル８は、風向変更板（横ルーバ）として機能する。
【００２２】
キャビネット３内において、熱交換器１の下方にドレンパン１１が設けられ、熱交換器１を伝って流れ落ちてくる露を受ける。ドレンパン１１は、吹出口５を形成するドレンパンユニット１２に一体的に形成される。ドレンパンユニット１２には、イオンを発生するイオン発生ユニット１３が装着される。
【００２３】
室内機には、フィルタ７を移動させながら清掃するフィルタ清掃装置が設けられる。フィルタ清掃装置は、フィルタ７から塵埃を除去する回転ブラシ１４と、除去された塵埃を溜めるダストボックス１５とを有する。フィルタ７は、キャビネット３に形成された案内路１６に沿って移動する。フィルタ清掃装置およびフィルタ７は、清掃ユニット１７に装着され、清掃ユニット１７は、キャビネット３内に設置される。
【００２４】
キャビネット３は、図１に示すように、後側に位置するベース板２０と、左右の側面カバー２１と、前側に位置する前面パネル２２とによって、左右方向に横長の箱状に形成される。ベース板２０は、壁面等に据え付けられる。側面カバー２１および前面パネル２２は、ベース板２０に対して着脱自在とされる。ドレンパンユニット１２は、ベース板２０の前側の下部に着脱自在に取り付けられ、ドレンパンユニット１２は、キャビネット３の底面の一部を構成する。清掃ユニット１７はベース板２０に着脱自在に取り付けられる。
【００２５】
キャビネット３から側面カバー２１および前面パネル２２を取り外したとき、図３に示すように、清掃ユニット１７が露出する。清掃ユニット１７およびドレンパンユニット１２がベース板２０から取り外し可能となる。清掃ユニット１７およびドレンパンユニット１２は、左右方向の両側においてベース板２０にそれぞれねじ止めされる。
【００２６】
図４に示すように、ドレンパンユニット１２は、上下左右の壁部材によって枠状に一体形成され、ドレンパンユニット１２の上面に、ドレンパン１１が形成される。ドレンパンユニット１２内に、前後方向に通路が形成される。この通路は空気通路６に連通する。通路は、左右方向に横長に形成され、吹出口５とされる。ドレンパンユニット１２の前側に、パネル８が着脱可能に取り付けられる。ドレンパンユニット１２の通路内に、縦ルーバ２３、整流板２４がそれぞれ設けられる。
【００２７】
イオン発生ユニット１３は、ホルダ２５に嵌め込まれて保持され、ホルダ２５がドレンパンユニット１２の上壁２６に取り付けられる。ホルダ２５に、イオン発生ユニット１３を覆うカバー２７が装着される。
【００２８】
図５に示すように、清掃ユニット１７は、案内路１６を形成するガイドフレーム２８を有し、ガイドフレーム２８にダストボックス１５が着脱可能に装着される。ガイドフレーム２８の下部がドレンパンユニット１２の上壁２６に保持される。
【００２９】
ところで、ドレンパンユニット１２は、ベース板２０に対して左右両側が固定されており、左右方向の中間部分では、ドレンパンユニット１２は固定されていないと仮定する。そして、ユーザが、溜まった塵埃を捨てるためにダストボックス１５を着脱するとき、ドレンパンユニット１２の中間部分に外力がかかると、ドレンパンユニット１２の中間部分が撓み、ドレンパンユニット１２がキャビネット３から脱落するおそれがある。ここで、中間部分は、左右方向の両端を除く、一側から他側までの間の部分である。
【００３０】
そこで、図６に示すように、ドレンパンユニット１２が外れないようにキャビネット３に係止部３０が設けられ、ドレンパンユニット１２に、係止部３０に係止される被係止部３１が設けられる。被係止部３１は、ベース板２０に対向するドレンパンユニット１２の後側において、左右方向の中央に形成される。
【００３１】
ドレンパンユニット１２の下側の壁部材は、上下２段の下壁３２ａ，３２ｂによって構成される。上段の下壁３２ａは、空気通路６を形成するものである。この下壁３２ａの後端が、ベース板２０における空気通路６を形成する通路壁３３の前端に密接する。上段の下壁３２ａと通路壁３３とが滑らかに連なり、連続した空気通路６が形成される。上段の下壁３２ａの後端の左右方向の中央に、後側に向かって突出するように被係止部３１が一体的に形成される。平板状の被係止部３１に、孔３５が形成されている。すなわち、被係止部３１の一部が凹状に形成されたことになる。
【００３２】
下段の下壁３２ｂは、キャビネット３の底壁の一部を構成し、ベース板２０の底壁３６に密接する。ベース板２０の底壁３６の前端に、段差３７が形成される。ドレンパンユニット１２がベース板２０に取り付けられたとき、この段差３７に下段の下壁３２ｂの後端が下方から当接する。
【００３３】
図７に示すように、係止部３０は、ベース板２０の前側の下部において、左右方向の中央に一体的に設けられる。ベース板３０の通路壁３３の前端の左右方向の中央に、被係止部３１が入り込む挿入口３８が形成され、挿入口３８の上部に、係止部３０が下向きに突出して形成される。係止部３０は、通路壁３３の下方に位置する。係止部３０の下端は、尖るように形成され、係止部３０の前面３０ａおよび後面３０ｂが傾斜している。前面３０ａの傾きが後面３０ｂの傾きより緩やかにされる。すなわち、前面３０ａは、前側から後側に向かって緩やかに下り傾斜し、後面３０ｂは、ほぼ鉛直状態とされる。
【００３４】
ドレンパンユニット１２がベース板２０に取り付けられたとき、被係止部３１は係止部３０に近接する。すなわち、被係止部３１の孔３５に係止部３０が入り込む。このとき、係止部３０の前面３０ａが被係止部３１の孔３５の周壁に近接した状態にある。なお、係止部３０が被係止部３１の孔３５の周壁に接触していてもよく、ここでの近接した状態は、少し隙間がある状態だけでなく、接触した状態も含むものとする。
【００３５】
ドレンパンユニット１２をベース板２０に取り付けるに際して、図８（ｂ）に示すように、前傾させたドレンパンユニット１２をベース板２０に対して斜め下から近づける。ドレンパンユニット１２の下段の下壁３２ｂがベース板２０の底壁３６の段差３７に当たる。このとき、被係止部３１がベース板２０の挿入口３８に入り、被係止部３１の後端が係止部３０の前面３０ａに当たる。
【００３６】
ドレンパンユニット１２の下段の下壁３２ｂがベース板２０の底壁３６に当たった状態でドレンパンユニット１２を持ち上げる。ドレンパンユニット１２の下壁３２ｂの後端が支点となって、ドレンパンユニット１２は上方向に回動する。係止部３０の前面３０ａは緩やかな傾斜面に形成されているので、係止部３０の前面３０ａに当たっている被係止部３１は、係止部３０の前面３０ａに沿って下向きに撓む。被係止部３１の孔３５が係止部３０の下方に至ると、係止部３０が被係止部３１の孔３５に嵌まる。そして、ドレンパンユニット１２の上段の下壁３２ａの後端がベース板２０の通路壁３３の前端に当接する。このとき、被係止部３１の孔３５の周壁が係止部３０の前面３０ａに近接する。この後、ドレンパンユニット１２の左右両側をベース板２０にねじ止めすることにより、ドレンパンユニット１２がベース板２０に固定される。さらに、清掃ユニット１７がベース板２０に取り付けられ、左右の側面カバー２１および前面パネル２２が装着され、キャビネット３が完成する。
【００３７】
このように、ドレンパンユニット１２をベース板２０に対して位置合わせして、押し込むという簡単な作業により、ドレンパンユニット１２をキャビネット３に取り付けることができる。被係止部３１を係止部３０に嵌めるといった作業を行わなくても、自然に係止部３０を被係止部３１に嵌めることができ、ドレンパンユニット１２の取付作業が容易になる。
【００３８】
ドレンパンユニット１２を取り外すとき、まず清掃ユニット１７をベース板２０から取り外した後、ドレンパンユニット１２の左右のねじを外す。ドレンパンユニット１２を取り外し方向である下方向に動かすと、係止部３０が被係止部３１の孔３５から抜ける。ドレンパンユニット１２を前方に引き出すと、被係止部３１が挿入口３８から抜け出し、ドレンパンユニット１２がベース板２０から外れる。
【００３９】
ところで、清掃ユニット１７のフィルタ７を清掃したり、ダストボックス１５を清掃することがある。このとき、前面パネル２２が開けられ、ドレンパンユニット１２の上壁２６の前側が露出する。ドレンパンユニット１２の前側に上方から外力がかかるおそれがある。ドレンパンユニット１２の左右両側はねじにより固定されているので、ドレンパンユニット１２の左右方向の中間部分が撓む。ドレンパンユニット１２の左右両側が動かないので、ドレンパンユニット１２の中間部分の前側は下向きに動き、後側は上向きに動く。このように、ドレンパンユニット１２の中間部分が取り外し方向以外の方向に動く。しかし、被係止部３１の孔３５の前側の周壁が係止部３０の前面３０ａに当接して、被係止部３１は係止部３０に係止される。ドレンパンユニット１２はベース板２０から外れることはない。
【００４０】
また、ドレンパンユニット１２の下段の下壁３２ｂは、ベース板２０の底壁３６の段差３７に当接しているので、ドレンパンユニット１２の後側が上方向に動くことが阻止される。このようにして、ドレンパンユニット１２に外力がかかったとしても、ドレンパンユニット１２の脱落を防げる。
【００４１】
ドレンパンユニット１２に外力がかかって、ドレンパンユニット１２の左右方向の中間部分が前方に動いた場合、ドレンパンユニット１２の下段の下壁３２ｂはベース板２０の底壁３６から離れるが、被係止部３１が前方に移動して、孔３５の後側の周壁が係止部３０の後面３０ｂに当接する。係止部３０の後面３０ｂはほぼ鉛直状態であるので、被係止部３１は、撓むことなく係止部３０に引っ掛かる。このように、被係止部３１は係止部３０に係止され、ドレンパンユニット１２がベース板２０から外れない。
【００４２】
また、清掃ユニット１７も同様に左右両側がベース板２０に固定されている。清掃ユニット１７の前側には、左右に２つのダストボックス１５が装着される。そのため、清掃ユニット１７のガイドフレーム２８の左右方向の中間部分に負荷がかかり、キャビネット３に取り付けられたガイドフレーム２８が撓むおそれがある。そこで、キャビネット３には、ドレンパンユニット１２以外の別ユニットが着脱自在に設けられ、別ユニットを保持するためのフック４０が設けられる。小型部品装着用の固定部材がドレンパンユニット１２の左右方向の中間部分に取り付けられる。フック４０は固定部材に設けられる。具体的には、図９に示すように、別ユニットである清掃ユニット１７のガイドフレーム２８が撓まないようにするために、ガイドフレーム２８の中間部分がドレンパンユニット１２に保持される。イオン発生ユニット１３を装着する固定部材であるホルダ２５にフック４０が設けられ、ガイドフレーム２８にフック４０に係合する係合体４１が設けられる。
【００４３】
図８に示すように、フック４０は、ドレンパンユニット１２の左右方向の中央に位置し、ドレンパンユニット１２に固定されたホルダ２５の前側において前傾するように形成される。図６に示すように、係合体４１は、左右のダストボックス１５の間に位置し、ガイドフレーム２８の前側に斜め上向きに突出するように形成される。係合体４１の上部がフック４０の上部に嵌まり込むようにして、係合体４１はフック４０に係合される。このように、フック４０をホルダ２５に形成し、ドレンパンユニット１２と組み合わせることにより、フック４０をドレンパンユニット１２に形成する場合に比べ、金型構造の物理的要因による制限が緩和されるので、フック４０の角度、高さなどに対する制限が緩和され、フック４０の設計の自由度が増す。そのため、清掃ユニット１７の形態に応じた所望の形態にフックを容易に形成することができる。
【００４４】
そして、フック４０の前方において、ドレンパンユニット１２に受リブ４２が設けられ、ガイドフレーム２８に縦リブ４３が設けられる。図８に示すように、受リブ４２は、ドレンパンユニット１２の上壁２６に左右方向にわたって前傾するように形成される。縦リブ４３は、ガイドフレーム２８の前側に斜め下向きに突出するように形成される。縦リブ４３と受リブ４２とは同じ傾斜角に形成されており、縦リブ４３が受リブ４２に当接する。
【００４５】
清掃ユニット１７をキャビネット３に取り付けるとき、清掃ユニット１７を熱交換器１に被せるようにして、ベース板２０に対して押し込む。このとき、係合体４１がフック４０の上部に当接し、フック４０が起き上がって、係合体４１が押し込まれる。そして、係合体４４１がフック４０に嵌り込んで係合されるとともに、縦リブ４３が受リブ４２に当接する。この後、ガイドフレーム２８の左右両側がねじ止めされ、清掃ユニット１７がベース板２０に取り付けられる。清掃ユニット１７を取り外すときは、清掃ユニット１７を少し下げながら前方に引っ張る。係合体４１がフック４０を変形させて、係合体４１がフック４０から離れ、清掃ユニット１７が引き出される。
【００４６】
清掃ユニット１７がキャビネット３に取り付けられているとき、清掃ユニット１７の左右方向の中間部分はドレンパンユニット１２に保持される。ダストボックス１５を着脱する際に、ガイドフレーム２８に外力がかかっても、係合体４１がフック４０により係合されているので、ガイドフレーム２８が前方に向かって移動することはない。したがって、ガイドフレーム２８が撓んで、ガイドフレーム２８の左右両側に負荷がかかることを防止でき、外力がかかっても清掃ユニット１７がキャビネット３から外れることはない。
【００４７】
ここで、ガイドフレーム２８の中間部分をドレンパンユニット１２にねじ止めすることが考えられる。しかし、ねじ止めするためには、ねじの長さに応じたスペースが必要となる。そのため、ガイドフレーム２８の前後方向の厚みが増し、ダストボックス１５の形状の変更が必要となり、ダストボックス１５の容積を減らさなければならない。この点、上記のようにフック４０による係合であれば、スペースを必要とせず、ダストボックス１５の容積を確保できる。
【００４８】
なお、本発明は、上記実施形態に限定されるものではなく、本発明の範囲内で上記実施形態に多くの修正および変更を加え得ることは勿論である。係止部および被係止部は、左右方向の中央に１つだけ設けられているが、左右方向の中央以外の中間部分に設けてもよく、１つに限らず複数設けてもよい。また、被係止部は、孔を有しているが、孔の代わりに係止部が嵌まるような凹みを形成してもよい。また、フックを有する固定部材がドレンパンユニットであってもよい。すなわち、フックは、ドレンパンユニットに一体的に形成されてもよい。
【符号の説明】
【００４９】
３    キャビネット
１２    ドレンパンユニット
１７    清掃ユニット
２０    ベース板
２５    ホルダ
２６    上壁
２８    ガイドフレーム
３０    係止部
３１    被係止部
３２ａ  上段の下壁
３２ｂ  下段の下壁
３３    通路壁
３５    孔
３６    底壁
３７    段差
４０    フック
４１    係合体
【図１】
0005260691.tif 000002
【図２】
0005260691.tif 000003
【図３】
0005260691.tif 000004
【図４】
0005260691.tif 000005
【図５】
0005260691.tif 000006
【図６】
0005260691.tif 000007
【図７】
0005260691.tif 000008
【図８】
0005260691.tif 000009
【図９】
0005260691.tif 000010